(57)【要約】【課題】従来のアームレスト装置は、特許文献１で解るように、前部にある操作部が上方に円弧形状に突出し、その下面が下方の運転席側にも大きく膨出した形状に形成されている。したがって、運転席に座ったオペレータは、膝の圧迫感を感じて運転に専念できない課題がある。【解決手段】運転操縦席１の上側で、側方に配備したアームレスト２において、平らに形成した上面２ａの前部を上側に略円弧形状に膨出させて操作部材案内面３を形成し、その形状に沿わせて移動操作する作業機昇降用コントロールレバー４を設けて構成した。前記操作部材案内面３の下側にあたる下面２ｂを、前から後ろまでフラットな面に形成したアームレスト装置としている。【選択図】図１
2008105598.tif 000002
【特許請求の範囲】
【請求項１】
運転操縦席（１）の上側で側方位置に前後方向に配備したアームレスト（２）において、平らに形成した上面（２ａ）の前部を上側に略円弧形状に膨出させて操作部材案内面（３）を形成し、該操作部材案内面（３）には、形状に沿わせて移動操作する作業機昇降用コントロールレバー（４）を設け、下面（２ｂ）をフラットな面に形成してあることを特徴とするアームレスト装置。
【請求項２】
前記作業機昇降用コントロールレバー（４）を軸受けした支持軸（５）と、該レバー（４）の操作回動位置を検出するセンサ（６）の回転軸（７）とをアームレストケース（８）内において前後に設け、該両軸（５）（７）を略同一水平面に配置してあることを特徴とする請求項１記載のアームレスト装置。
【請求項３】
前記支持軸（５）と回転軸（７）とは、前後をアームレストケース（８）に直接、又は間接的に固着している取付板（９）に軸受け支持して設け、該取付板（９）の同一板面側に、前記支持軸（５）に連結するレバーアーム（１０）と回転軸（７）に連結したセンサアーム（１１）とを配置して設け、該センサアーム（１１）と前記レバーアーム（１０）とを操作連動可能に接続して構成してあることを特徴とする請求項２記載のアームレスト装置。
【発明の詳細な説明】
【技術分野】
【０００１】
この発明は、作業車両の運転操縦席に設けられているアームレスト装置に関する。
【背景技術】
【０００２】
従来から、走行時の車速の変速操作を行うスイッチ類、作業機昇降を行うコントロールレバーや昇降スイッチ等の操作装置を備えたアームレストは、運転操縦席の側部で上方位置に配備されている。そして、該アームレストは、その位置をオペレータの体格に合わせて、運転操縦席に対して、上下方向や前後方向に位置の調節ができる構成になっている。
【０００３】
例えば、本件出願前に公開されている特開２００５−３３５４２９号公開特許公報（特許文献１参照）には、図面（特に図１）と明細書に、操縦部を有して運転席の側方に配備されるアームレストと、該アームレストを運転席に対して前後方向及び上下方向の位置調整を可能に支持する位置調整機構を備え、該位置調整機構には、アームレストを位置設定状態と位置調整可能状態とに切換える切換操作部が設けられていると記載され、図面にもその構成が示されている。そして、上記公開特許公報に開示されている技術によると、切換操作部を操作することによって、アームレストを位置設定状態、又は位置調整可能状態に容易に切り換えることができる、と本件公開技術の効果が記載されている。
【特許文献１】特開２００５−３３５４２９号公報
【発明の開示】
【発明が解決しようとする課題】
【０００４】
従来のアームレスト装置は、既に説明した上記公開特許公報にも、図面（添付図１）から明らかなように、前部にある操作部の下面が下方の運転席側に膨出した形状になっており、運転席に座って運転するオペレータが、膝の圧迫感を受ける課題がある。
【０００５】
そして、アームレスト装置は、上下方向及び前後方向の位置調節を可能に構成されているが、膝の圧迫感を緩和するために上記調節を行うと、オペレータの体格に合わなくなり、運転態勢が窮屈になって疲労が激しくなる等の問題点が発生するおそれがある。
【課題を解決するための手段】
【０００６】
この発明は、上記課題を解決するために、請求項１に記載した発明は、運転操縦席（１）の上側で側方位置に前後方向に配備したアームレスト（２）において、平らに形成した上面（２ａ）の前部を上側に略円弧形状に膨出させて操作部材案内面（３）を形成し、該操作部材案内面（３）には、上記円弧形状に沿わせて移動操作する作業機昇降用コントロールレバー（４）を設け、下面（２ｂ）をフラットな面に形成してあることを特徴とするアームレスト装置であって、運転中のオペレータが運転操縦席（１）に安心して座れ、運転に専念することができる。
【０００７】
この発明は、上記の如く、アームレスト（２）の前部上面（２ａ）を上側に略円弧形状に膨出させてコントロールレバー（４）の案内面（３）を形成し、その下面（２ｂ）を前側から後ろ側までフラットに形成して、下方の運転操縦席（１）側への張り出しをなくしている。したがって、運転操縦席（１）に座ったオペレータは、側部上側のアームレスト（２）によって膝の圧迫感を受けることがなく、運転に専念することできる。
【０００８】
つぎに、請求項２に記載した発明は、前記作業機昇降用コントロールレバー（４）を軸受けした支持軸（５）と、該レバー（４）の操作回動位置を検出するセンサ（６）の回転軸（７）とをアームレストケース（８）内において前後に設け、該両軸（５）（７）を略同一水平面に配置してあることを特徴とする請求項１記載のアームレスト装置であって、両軸（５）（７）を同一水平面内に揃えることによって、アームレストケース（８）の下面（２ｂ）を、比較的高い位置でフラットに形成できるものとなっている。
【０００９】
つぎに、請求項３に記載した発明は、前記支持軸（５）と回転軸（７）とは、前後をアームレストケース（８）に直接、又は間接的に固着している取付板（９）に軸受け支持して設け、該取付板（９）の同一板面側に、前記支持軸（５）に連結するレバーアーム（１０）と回転軸（７）に連結したセンサアーム（１１）とを配置して設け、該センサアーム（１１）と前記レバーアーム（１０）とを操作連動可能に接続して構成してあることを特徴とする請求項２記載のアームレスト装置であって、操作力を伝達する機構をコンパクトにまとめて構成し、部品点数を少なくしている。そして、前記取付板（９）は、同じ板面側にレバーアーム（１０）とセンサアーム（１１）とを配置しているから組立て製作が比較的簡単でありながら、前後の両端部分をアームレストケース（８）に固着しているから、ケース（８）の強度部材となっており、安心して肘を支えることのできる強固なアームレスト（２）を提供することができる。
【発明の効果】
【００１０】
まず、請求項１に記載した発明は、上述の如く、アームレスト（２）の前部上面（２ａ）を上側に略円弧形状に膨出させてコントロールレバー（４）の案内面（３）を形成し、アームレスト２は、下面（２ｂ）を前側から後ろ側までフラットに形成して、下方の運転操縦席（１）側への張り出し部分をなくしているから、運転操縦席（１）に座ったオペレータは、側部上側のアームレスト（２）によって膝の圧迫感を受けることがほとんどなく、運転に専念することできる優れた特徴がある。
【００１１】
そして、請求項２に記載した発明は、両軸（５）（７）を同一水平面内に揃えることによって、アームレストケース（８）の下面（２ｂ）を、比較的高い位置でフラットに形成できるものとした特徴があり、この構成によって、上記請求項１のアームレストが製作できた効果がある。
【００１２】
そして、請求項３に記載した発明は、操作力を伝達する機構をコンパクトにまとめて構成し、部品点数を少なくした特徴がある。そして、前記取付板（９）は、同じ板面側にレバーアーム（１０）とセンサアーム（１１）とを配置しているから組立てが比較的簡単にできる効果がある。
【００１３】
そして、請求項３に記載した発明は、取付板（９）の前後両端部をアームレストケース（８）に直接、又は間接的に固着しているから、ケース（８）の強度部材としての機能が発揮でき、安心して肘を支えることのできる強固なアームレスト（２）を提供することができる優れた特徴がある。
【発明を実施するための最良の形態】
【００１４】
以下、実施例を図面に基づいて具体的に説明する。
まず、運転操縦席１は、図４、及び図５に示すように、トラクタ１５に搭載されているキャビン１６内に装備され、前方側にはステアリングハンドル１７が設けられ、その前側、及び左右両側方には各装置の操作ペダル１８類、ＰＴＯの入・切や手動・自動切換えスイッチ１９、その他、ドラフトコントロールの感度調節ダイヤル２０等が配列され、左側には、ＰＴＯチエンジレバー２１等を配置してトラクタ作業の操縦ができる構成としている。
【００１５】
そして、アームレスト２は、図１、図２、及び図４に示すように、長い箱状に形成して、運転操縦席１の右側上方位置に前後方向に配置して設け、座った状態で運転するオペレータの右肘、前腕を受け止めて載せることができる構成としている。そして、アームレスト２は、図３に示すように、周囲をアームレストケース８で形成するが、図１に示すように、上面２ａが後部から中間部分までフラットな面に形成され、これに連続する前部を上側に略円弧形状に膨出させて操作部材案内面３を形成し、下面２ｂは全面をフラットな面に形成した構成としている。
【００１６】
したがって、アームレスト２は、上記フラットな上面２ａの位置に右手の肘や前腕を安定した状態に置くことができ、しかも、右手の指の位置が操作部材案内面３に届くようになっている。
【００１７】
そして、作業機昇降用コントロールレバー４は、図１の側面視で解るように、膨出させた操作部材案内面３の円弧形状に沿って操作できるように設けられ、前記のとおりアームレスト２の上面に置いた指で容易に操作ができる構成としている。
【００１８】
そして、取付板９は、図３に示すように、アームレストケース８の内部において、前記操作部材案内面３の下方に、長手方向を前後にして立てた状態に配置し、前部を、連結金具２３を介してケース８の内側に固着連結し、後部を連結板２４にボルト締めで固定してケース８に連結した構成としている。そして、前記作業機昇降用コントロールレバー４は、図面に示すように、上記取付板９の前部に横向きに軸受け支持した支持軸５に支持し、その支持軸５には操作に伴って一体に回動するレバーアーム１０を設けて後方に突出させた構成としている。
【００１９】
そして、回転軸７は、前記支持軸５から少し間隔を隔てた後方位置に設けるが、軸５の回転を検出するセンサ６としてポテンショメータを軸着して取付板９に軸架支持した構成としている。この場合、回転軸７は、前記支持軸５と同じ方向に向け、しかも、略同一水平面内に配置しており、更に、端部に軸着したセンサアーム１１を、前記レバーアーム１０と同一側（取付板９の同一側面）に配置して前方に突出させた構成としている。そして、該センサアーム１１と前記レバーアーム１０とは、図３に示すように、レバーアーム１０の先端部に固着したピン２５を、センサアーム１１に杆の方向に開口した長溝２６に係合させて摺動自由に接続して設け、支持軸５側の操作力が回転軸７に伝達され、センサ６が検出できる構成としている。
【００２０】
このように、実施例の構成は、作業機昇降用コントロールレバー４を軸受けした支持軸５と、該レバー４の操作回動位置を検出するセンサ６の回転軸７とをアームレストケース８内において、前後に設け、該両軸５，７を略同一水平面、言い換えると、略同じ高さ位置に配置している。そして、前記支持軸５と回動軸７とは、前後をアームレストケース８に直接、又は間接的に固着した取付板９の同一板面側に配置して軸受け支持しており、前記支持軸５に連結したレバーアーム１０と回転軸７に連結したセンサアーム１１とは、ピン２５と長溝２６とで摺動自由に接続し、前記作業機昇降用コントロールレバー４の操作力（量）が、センサ６を構成するポテンショメータで検出できるものとなっている。
【００２１】
以上のとおり、この発明の実施例は、アームレスト２の前部上面２ａを上側に略円弧形状に膨出させてコントロールレバー４の案内面３を形成し、その下面２ｂを前側から後ろ側まで通してフラットに形成して、下方の運転操縦席１側への張り出しをなくしたものとなっているから、運転操縦席１に座ったオペレータに、側部上側のアームレスト２によって膝の圧迫感を与えることがなく、安心して運転に専念することできるものとなった。
【００２２】
そして、前述のとおり、作業機昇降用コントロールレバー４を軸受けした支持軸５と、該レバー４の操作回動位置を検出するセンサ６の回転軸７とをほぼ同じ水平面に揃えて配置したから、アームレストケース８の下面２ｂを、比較的高い位置でフラットに形成できるものとなった。特に、実施例に係るアームレスト２は、上側を膨出させて形成した操作部材案内面３の下側を、後方から連続したフラット面（下面２ｂ）に形成できる点に特徴があり、運転操縦席１側（下方）への張り出しをなくしたものに製作できた。
【００２３】
そして、上記実施例は、操作力を伝達する機構を、部品点数を少なくしてコンパクトにまとめて構成し、前記取付板９の同じ板面側にレバーアーム１０とセンサアーム１１とを配置しているから制作時の組立てが容易にできるものとなった。
【００２４】
そして、実施例のアームレスト２は、上述のとおり、取付板９の前後両端部をアームレストケース８に直接、又は間接的に連結することにより、ケース８の補強ができて頑丈となり、オペレータが、安心して肘や前腕を載せて楽にトラクタ作業ができるものとなった。
【００２５】
そして、前記取付板９は、図３に示すように、後側の回転軸７と前側の支持軸５との間に、支持軸５を中心にした円弧形状の案内孔２８を設けてレバーアーム１０の先端部に固着しているピン２５を嵌合して案内できる構成としている。この場合、案内孔２８は、支持軸５の回転にともなって円弧状に回動するレバーアーム１０の先端部にあるピン２５を係合状態で案内し、孔の上縁（上限）と下縁（下限）の位置がストッパーの働きをする構成となっている。
【００２６】
したがって、作業機昇降用コントロールレバー４は、上記案内孔２８とピン２５とによりストッパー機能が働いて、操作の上限位置と下限位置とが決まり、安心して操作ができる。このように、実施例は、特別に別体のストッパー装置を設けることなく、案内孔２８を利用したストッパーとすることで構成を簡単にした特徴がある。
【００２７】
そして、図３に示す実施例の場合、作業機昇降用コントロールレバー４の操作力を伝えるレバーアーム１０と、センサ６側に接続したセンサアーム１１とは、両者のアーム比を略同等にした構成にしている。したがって、センサ６は、作業機昇降用コントロールレバー４の移動操作範囲の全域において、検出分解能が略同等となり、操作ストロークとリフトアーム動作のフィーリングがどの位置でも略同等になって、操作性が良好となる特徴がある。
【００２８】
そして、センサ６は、その取付位置を後方に寄せて配置したから、アームレスト２の前方側への張出しが短くなって、下面２ｂをフラットにできるものとなった。
そして、アームレスト２は、図４に示すように、操作部材案内面３を含めた前部を、平面視で順次外側に傾斜させて形成している。すなわち、アームレスト２の上記した前部は、一体となる後部から中間部がトラクタ１５の進行方向に沿った略直線状になっているのに対して、前方側になる程、外側に傾斜させて構成している。これは、人間工学的な観点から構成したものであって、運転操縦席１に座ったオペレータは、アームレスト２の上面２ａ上に肘をおいて前腕を自然に前に伸ばした状態にすると、手の部分が若干外側に位置するから、これに合わせてアームレスト２の前部を配置する方が操作が楽にできる。その上に加えて、アームレスト２の前部は、座ったオペレータの膝の位置と同等、又は若干外側に位置するから、圧迫感を少なくできて運転に専念することができる。
【００２９】
そして、車速を変速操作するシフトアップスイッチ３０とシフトダウンスイッチ３１、及び作業機昇降スイッチ３２（シ−ソスイッチであって、後ろ側のワンプッシュで最大位置まで上昇し、前側のワンプッシュで作業機昇降用コントロールレバー４の位置まで下降する構成となっている。）は、上記前部の内側ラインに沿わせて構成し、操作性の向上を図る配置にしている。
【００３０】
つぎに、アームレスト２の上下、及び前後の位置調節について、実施例を説明する。
まず、固定用の支持杆３３は、図１、及び図２に示すように、基部を運転操縦席１側のブラケット３４に固着して先端部を上部前方に位置させて側面視（図１参照）で前傾状に斜めに設け、長孔３５と複数段の位置決め孔３６とを設けた構成としている。そして、調節杆３７は、上部をアームレスト２に固着して下方に延長するが、上記支持杆３３に重ね合わせて接合できるように、下部が後方になるように傾斜させた構成としている。そして、調節杆３７は、前記支持杆３３の長孔３５に挿入して位置固定するために上下２個のノブボルト３８、３８と、その下側に複数段の位置決め孔３９を上下に配列して構成している。
【００３１】
以上の構成によって、アームレスト２は、図１から解るように、ブラケット３４に固着した支持杆３３に調節杆３７を重ね合わせて双方の位置決め孔３６と３９とを合わせて適宜位置に位置決めピン４０を挿し、上側のノブボルト３８，３８を長孔３５に挿し込んでねじ締めして固定する。そして、アームレスト２は、オペレータの体格に合わせて上下と前後との調節が同時にできるが、まず、位置決めピン４０を双方の位置決め孔３６，３９から抜き、ノブボルト３８，３８を緩める。つぎに、調節杆３７を、定位置の支持杆３３に対して上下移動調節してアームレスト２の上下と前後の位置を決めて位置決めピン４０を両方の位置決め孔３６，３９を合わせて挿して込んで位置を決めした後、ノブボルト３８で締め付けて固定する。
【００３２】
このように、実施例のアームレスト２は、高さと前後の位置とをオペレータの体格に合わせて、同時に調節できるものであって、普通、体格の大きい人ほど腕も長く、高い位置で、しかも、前よりの位置が望ましく、両方が同時に調節することができる特徴がある。
【００３３】
つぎに、トラクタ１５の燃料タンク４５に関する実施例を説明する。
実施例の場合、燃料タンク４５は、図６に示すように、ミッションケース４６の両側にそれぞれ配置した左右２つのタンク４５ａ，４５ｂから構成している。
【００３４】
そして、左タンク４５ａと右タンク４５ｂとは、前記ミッションケース４６の下側に配管した連通ホース４７で連通し、燃料が減少しても双方の油面が同一面になるように構成している。そして、連通ホース４７は、図６に示すように、ホースカバー４８で被覆し、そのホースカバー４８を前記ミッションケース４６に接触させてマウントする構成としている。
【００３５】
このように構成すると、ミッションケース４６の放熱が良好に行われてミッションオイルを効果的に冷やすことができる。
つぎに、燃料タンク４５の給油キャップ５０を南京錠５１で施錠して開かないように防護して、燃料の盗難を防止する実施例を説明する。
【００３６】
まず、燃料タンク４５は、図７に示すように、上部の給油キャップ５０を取り付けた位置の下側周辺にあるフランジ５３の一方側に蝶番取付面５４を形成し、対向側（反対側）に施錠孔５５を開口して構成する。そして、防護プレート５６は、図面に示すように、一方側の蝶番５７を、前記蝶番取付面５４に螺子止めして取り付け、給油キャップ５０を上側を通して対向側に延長して錠孔５８と下側の施錠孔５５とを合わせて南京錠５１によって施錠できる構成としている。
【００３７】
このように構成することによって、燃料タンク４５は、給油キャップ５０に南京錠による施錠ができるから、燃料の盗難を未然に防止することができる。
つぎに、樹脂製の燃料タンク４５において、燃料タンク４５を外側から締め付けて保持する締付けバンド６０の位置決めに関する実施例を、図８、及び図９に基づいて説明する。
【００３８】
実施例の場合、燃料タンク４５は、樹脂を素材にして成形した左右の半割りタンクを、予め、接合して固定し、外側から締付けバンド６０を巻き付けて一個のタンクを構成するが、この場合、外側から巻き付ける締付けバンド６０の位置を、成形時に隆起したパーチングライン６１の中間に切欠状の凹型に形成して、バンド溝６２を構成する。そして、燃料タンク４５は、左右２つの半割りタンクを接合して外側から締付けバンド６０によって固定するが、そのとき、前記バンド溝６２に締付けバンド６０を通して締め付け保持する構成としている。
【００３９】
このように、実施例に係る燃料タンク４５は、図面に示すように、成形にともなってできる隆起したパーチングライン６１の中間位置に切欠状の凹型に形成してバンド溝６２を構成し、これに締付けバンド６０を通して締め付け固定する。
【００４０】
したがって、バンド溝６２は、図面に示すように、外側のパーチングライン６１に凹型の溝を形成しているから、燃料タンク４５の内部に関係せず、容量を減少する等の影響がなく、締付けバンド６０の位置決めが確実となってバンドの横ズレを防止できる特徴がある。
【００４１】
そして、上記燃料タンク４５は、図１０に示すように、支持機枠６５の前側フレーム６６の裏側にインシュレータ６７を貼り付けて、このインシュレータ６７にタンク４５の前面を押し当てて前後移動を規制し、位置決めをする構成としている。
【００４２】
従来の燃料タンクは、タンク前側のパーチングラインを大きく形成して取付孔を設け、ボルト止めによって機枠側に固着する構成であったから、取付けに広い取付スペースを要し、取付強度の不足も課題となっていた。
【００４３】
この実施例は、前側フレーム６６の裏側に貼り付けたインシュレータ６７に、燃料タンク４５の前端面を押し当てて前後方向の位置決めをしたもので、構成がきわめて簡単で、狭いスペースでも充分な位置決めができる特徴がある。
【００４４】
つぎに、燃料タンク４５から燃料を抜くドレン装置７０について、実施例を説明する。
まず、燃料吸入ホース７１は、図１１、及び図１２に示すように、左右の燃料タンク４５ａ，４５ｂを連通する連通ホース４７の中間部位に、基部を接続して図示省略しているフィルター側に延長して燃料を送油する構成としている。そして、燃料吸入ホース７１は、図１２に示すように、タンク側ホース７１ａと、フィルター側ホース（エンジン側）７１ｂとに分割して、この両者７１ａ，７１ｂの端部に接続パイプ７２を挿し込んで接続した構成としている。
【００４５】
したがって、燃料は、通常、エンジンに供給するときには、連通ホース４７から燃料吸入ホース７１の始端部に送られて、前記タンク側ホース７１ａから接続パイプ７２を経由してフィルター側ホース７１ｂに達し、フィルター方向に送られて、最終的にエンジンに供給されて燃焼される。
【００４６】
そして、上記燃料吸入ホース７１は、ドレン装置７０として使用するときには、タンク側ホース７１ａとフィルター側ホース７１ｂとを、手作業で分離して切り離すと、燃料タンク４５内の残留燃料を機外に廃油する事ができる。この場合、タンク側ホース７１ａは、柔軟で自由度があるから廃油の方向を自由に選択して行うことができると共に、ドレンを従来のように、機械加工によってドレンパイプやドレンプラグを製作するものに比較してきわめて低コストで製作できる特徴がある。
【図面の簡単な説明】
【００４７】
【図１】アームレストの側面図
【図２】アームレストの正面図
【図３】アームレストの内部構造の側面図
【図４】アームレストの平面図
【図５】トラクタの側面図
【図６】燃料タンクを下側から見た斜面図
【図７】給油キャップを施錠する装置の分解斜面図
【図８】バンド溝の正面図
【図９】燃料タンクの斜面図
【図１０】燃料タンクの斜面図
【図１１】連通ホースと、燃料吸入ホースの平面図
【図１２】図１１の要部を拡大した平面図
【符号の説明】
【００４８】
１    運転操縦席                  ２    アームレス
２ａ  上面                        ２ｂ  下面
３    操作部材案内面              ４    作業機昇降用コントロールレバー
５    支持軸                      ６    センサ
７    回転軸                      ８    アームレストケース
９    取付板                    １０    レバーアーム
１１    センサアーム。
【図１】
2008105598.tif 000003
【図２】
2008105598.tif 000004
【図３】
2008105598.tif 000005
【図４】
2008105598.tif 000006
【図５】
2008105598.tif 000007
【図６】
2008105598.tif 000008
【図７】
2008105598.tif 000009
【図８】
2008105598.tif 000010
【図９】
2008105598.tif 000011
【図１０】
2008105598.tif 000012
【図１１】
2008105598.tif 000013
【図１２】
2008105598.tif 000014